【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
入力されたデータを出力する際の体裁である印刷体裁と、前記入力されたデータを出力する際の処理方法を示したジョブチケットとを生成するジョブチケット生成手段と、
前記処理方法を解析し、印刷する処理か、保存する処理か、または印刷して保存する処理かを解析する解析手段と、
前記解析手段による解析の結果、処理方法が印刷する処理である場合、前記入力されたデータを用いて前記ジョブチケットに指定された体裁を反映するデータである印刷用データを生成し、処理方法が保存する処理または印刷して保存する処理である場合、前記入力されたデータを用いて前記ジョブチケットに指定された体裁を反映しないデータである保存用データを生成するデータ生成手段と、
前記ジョブチケット生成手段にて生成したジョブチケットおよび前記印刷用データ、又は前記ジョブチケット生成手段にて生成したジョブチケットおよび前記保存用データを含む情報を印刷用ジョブとして送信する印刷用ジョブ送信手段と
を備えたことを特徴とする情報処理装置。
【請求項２】
前記データ生成手段が生成する印刷用データは、前記入力されたデータのベクターデータである第１のベクターデータであり、
前記データ生成手段が生成する保存用データは、前記入力されたデータのベクターデータである第２のベクターデータであることを特徴とする請求項１に記載の情報処理装置。
【請求項３】
前記データ生成手段が生成する印刷用データは、前記入力されたデータのＰＤＬデータである第１のＰＤＬデータであり、
前記データ生成手段が生成する保存用データは、前記入力されたデータのＰＤＬデータである第２のＰＤＬデータであることを特徴とする請求項１に記載の情報処理装置。
【請求項４】
前記データ生成手段が生成した第１のベクターデータから印刷に使用するドットイメージの基になる第１の中間データ、または前記データ生成手段が生成した第２のベクターデータから第２の中間データを生成する中間データ生成手段をさらに備え、
前記解析手段による解析の結果、処理方法が印刷する処理である場合、前記印刷用ジョブ送信手段は、前記ジョブチケット生成手段にて生成されたジョブチケットと、前記中間データ生成手段により生成された第１の中間データとを送信し、
前記解析手段により解析の結果、処理方法が保存する処理である場合、前記印刷用ジョブ送信手段は、前記ジョブチケット生成手段にて生成されたジョブチケットと、前記中間データ生成手段により生成された第２の中間データとを送信し、
前記解析手段による解析の結果、処理方法が印刷して保存する処理である場合、前記印刷用ジョブ送信手段は、前記ジョブチケット生成手段にて生成されたジョブチケットと、前記中間データ生成手段により生成された第１の中間データおよび第２の中間データとを送信することを特徴とする請求項２に記載の情報処理装置。
【請求項５】
前記入力されたデータの処理を行うアプリケーション及び該アプリケーションからデータを印刷用データに変換する指示を受けるドライバをさらに備え、
前記アプリケーションが指示する印刷体裁を、前記ドライバが指示する印刷体裁には反映させず、前記ドライバが指示する印刷体裁を前記ジョブチケットに反映することを特徴とする請求項１に記載の情報処理装置。
【請求項６】
印刷用ジョブを受信する受信手段と、
前記印刷用ジョブに含まれるデータを出力する際の印刷体裁、及び前記データを出力する際の処理方法を示すジョブチケットであって、前記受信した印刷用ジョブに含まれるジョブチケットを解析する判断手段と、
前記判断手段が、前記処理方法が印刷して保存する処理であると解析した場合、前記受信手段にて受信した印刷用ジョブに含まれ、印刷体裁を反映しない保存用データ及び前記ジョブチケットに基づいて、印刷体裁を反映する印刷用データを生成して印刷し、前記印刷体裁を反映しない保存用データを保存する処理手段と
を備えたことを特徴とする画像処理装置。
【請求項７】
前記処理手段が生成する前記印刷体裁を反映する印刷用データを前記データのベクターデータである第１のベクターデータとし、該第１のベクターデータから印刷体裁を反映する第１の中間データを生成する手段と、
前記受信手段が受信した前記印刷用ジョブに含まれる前記保存用データを前記データのベクターデータである第２のベクターデータとし、該第２のベクターデータから印刷体裁を反映しない第２の中間データを生成する手段と
をさらに備えたことを特徴とする請求項６に記載の画像処理装置。
【請求項８】
前記処理手段が生成する前記印刷体裁を反映する印刷用データを前記データのＰＤＬデータである第１のＰＤＬデータとし、該第１のＰＤＬデータから第１の中間データを生成する手段と、
前記受信手段が受信した前記印刷用ジョブに含まれる前記保存用データを前記データのＰＤＬデータである第２のＰＤＬデータとし、該第２のＰＤＬデータから第２の中間データを生成する手段と
をさらに備えたことを特徴とする請求項６に記載の画像処理装置。
【請求項９】
前記印刷用ジョブを再印刷する際、前記印刷体裁の変更を判断する体裁変更判断手段と、
前記体裁変更判断手段によって体裁に変更がないと判断されると、前記印刷用データを、前記印刷に使用するデータであるドットイメージに変換して印刷する第１の印刷手段と、
前記体裁変更判断手段によって体裁に変更があると判断され、且つ前記印刷用データが使用できないと判断されると、変更後の印刷体裁を反映して前記保存用データから第３の中間データを生成し、該第３の中間データを、前記印刷に使用するデータであるドットイメージに変換して印刷する第２の印刷手段と
をさらに備えたことを特徴とする請求項６に記載の画像処理装置。
【請求項１０】
入力されたデータを出力する際の体裁である印刷体裁と、前記入力されたデータを出力する際の処理方法とを示すジョブチケットを生成するジョブチケット生成ステップと、
前記処理方法を解析し、処理方法が、印刷する処理か、保存する処理か、または印刷して保存する処理かを解析する解析ステップと、
前記解析ステップによる解析の結果、処理方法が印刷する処理である場合、前記入力されたデータを用いて前記ジョブチケットに指定された体裁を反映するデータである印刷用データを生成し、処理方法が保存する処理または印刷して保存する処理である場合、前記入力されたデータを用いて前記ジョブチケットに指定された体裁を反映しないデータである保存用データを生成するデータ生成ステップと、
前記ジョブチケット生成ステップにて生成したジョブチケットおよび前記印刷用データ、又は前記ジョブチケット生成ステップに生成したジョブチケットおよび前記保存用データを含む情報を印刷用ジョブとして送信する印刷用ジョブ送信ステップと
を備えたことを特徴とする情報処理方法。
【請求項１１】
前記データ生成ステップが生成する印刷用データは、前記入力されたデータのベクターデータである第１のベクターデータであり、
前記データ生成ステップが生成する保存用データは、前記入力されたデータのベクターデータである第２のベクターデータであることを特徴とする請求項１０に記載の情報処理方法。
【請求項１２】
前記データ生成ステップが生成する印刷用データは、前記入力されたデータのＰＤＬデータである第１のＰＤＬデータであり、
前記データ生成ステップが生成する保存用データは、前記入力されたデータのＰＤＬデータである第２のＰＤＬデータであることを特徴とする請求項１０に記載の情報処理方法。
【請求項１３】
前記データ生成ステップが生成した第１のベクターデータから印刷に使用するドットイメージの基になる第１の中間データ、または前記データ生成ステップが生成した第２のベクターデータから第２の中間データを生成する中間データ生成ステップをさらに備え、
前記解析ステップによる解析の結果、処理方法が印刷する処理である場合、前記印刷用ジョブ送信ステップは、前記ジョブチケット生成ステップにて生成されたジョブチケットと、前記中間データ生成ステップにより生成された第１の中間データとを送信し、
前記解析ステップにより解析の結果、処理方法が保存する処理である場合、前記印刷用ジョブ送信ステップは、前記ジョブチケット生成ステップにて生成されたジョブチケットと、前記中間データ生成ステップにより生成された第２の中間データとを送信し、
前記解析ステップによる解析の結果、処理方法が印刷して保存する処理である場合、前記印刷用ジョブ送信ステップは、前記ジョブチケット生成ステップにて生成されたジョブチケットと、前記中間データ生成ステップにより生成された第１の中間データおよび第２の中間データとを送信することを特徴とする請求項１１に記載の情報処理方法。
【請求項１４】
前記入力されたデータの処理を行うアプリケーション及び該アプリケーションからデータを印刷用データに変換する指示をドライバが受けるステップをさらに備え、
前記アプリケーションが指示する印刷体裁を、前記ドライバが指示する印刷体裁には反映させず、前記ドライバが指示する印刷体裁を前記ジョブチケットに反映することを特徴とする請求項１０に記載の情報処理方法。
【請求項１５】
印刷用ジョブを受信する受信ステップと、
前記印刷用ジョブに含まれるデータを出力する際の印刷体裁、及び前記データを出力する際の処理方法を示すジョブチケットであって、前記受信した印刷用ジョブに含まれるジョブチケットを解析する判断ステップと、
前記判断ステップが、前記処理方法が印刷して保存する処理であると解析した場合、前記受信ステップにて受信した印刷用ジョブに含まれ、印刷体裁を反映しない保存用データ及び前記ジョブチケットに基づいて、印刷体裁を反映する印刷用データを生成して印刷し、前記印刷体裁を反映しない保存用データを保存する処理ステップと
を備えたことを特徴とする画像処理方法。
【請求項１６】
前記処理ステップが生成する前記印刷体裁を反映する印刷用データを前記データのベクターデータである第１のベクターデータとし、該第１のベクターデータから印刷体裁を反映する第１の中間データを生成するステップと、
前記受信ステップが受信した前記印刷用ジョブに含まれる前記保存用データを前記データのベクターデータである第２のベクターデータとし、該第２のベクターデータから印刷体裁を反映しない第２の中間データを生成するステップと
をさらに備えたことを特徴とする請求項１５に記載の画像処理方法。
【請求項１７】
前記処理ステップが生成する前記印刷体裁を反映する印刷用データを前記データのＰＤＬデータである第１のＰＤＬデータとし、該第１のＰＤＬデータから第１の中間データを生成するステップと、
前記受信ステップが受信した前記印刷用ジョブに含まれる前記保存用データを前記データのＰＤＬデータである第２のＰＤＬデータとし、該第２のＰＤＬデータから第２の中間データを生成するステップと
をさらに備えたことを特徴とする請求項１５に記載の画像処理方法。
【請求項１８】
前記印刷用ジョブを再印刷する際、前記印刷体裁の変更を判断する体裁変更判断ステップと、
前記体裁変更判断ステップによって体裁に変更がないと判断されると、前記印刷用データを、前記印刷に使用するデータであるドットイメージに変換して印刷する第１の印刷ステップと、
前記体裁変更判断ステップによって体裁に変更があると判断され、且つ前記印刷用データが使用できないと判断されると、変更後の印刷体裁を反映して前記保存用データから第３の中間データを生成し、該第３の中間データを、前記印刷に使用するデータであるドットイメージに変換して印刷する第２の印刷ステップと
をさらに備えたことを特徴とする請求項１５に記載の画像処理方法。
【請求項１９】
コンピュータに請求項１０乃至１４もいずれかに記載の情報処理方法を実行させるためのプログラム。
【請求項２０】
コンピュータに請求項１５乃至１８のいずれかに記載の画像処理方法を実行させるためのプログラム。
【手続補正２】
【補正対象書類名】明細書
【補正対象項目名】発明の名称
【補正方法】変更
【補正の内容】
【発明の名称】情報処理装置および画像処理装置ならびにその方法
【手続補正３】
【補正対象書類名】明細書
【補正対象項目名】００１９
【補正方法】変更
【補正の内容】
【００１９】
このような目的を達成するため、本発明の情報処理装置は、入力されたデータを出力する際の体裁である印刷体裁と、入力されたデータを出力する際の処理方法を示したジョブチケットとを生成するジョブチケット生成手段と、処理方法を解析し、印刷する処理か、保存する処理か、または印刷して保存する処理かを解析する解析手段と、解析手段による解析の結果、処理方法が印刷する処理である場合、入力されたデータを用いてジョブチケットに指定された体裁を反映するデータである印刷用データを生成し、処理方法が保存する処理または印刷して保存する処理である場合、入力されたデータを用いてジョブチケットに指定された体裁を反映しないデータである保存用データを生成するデータ生成手段と、ジョブチケット生成手段にて生成したジョブチケットおよび印刷用データ、又はジョブチケット生成手段にて生成したジョブチケットおよび保存用データを含む情報を印刷用ジョブとして送信する印刷用ジョブ送信手段とを備えたことを特徴とする。  
本発明の画像処理装置は、印刷用ジョブを受信する受信手段と、印刷用ジョブに含まれるデータを出力する際の印刷体裁、及びデータを出力する際の処理方法を示すジョブチケットであって、受信した印刷用ジョブに含まれるジョブチケットを解析する判断手段と、判断手段が、処理方法が印刷して保存する処理であると解析した場合、受信手段にて受信した印刷用ジョブに含まれ、印刷体裁を反映しない保存用データ及びジョブチケットに基づいて、印刷体裁を反映する印刷用データを生成して印刷し、印刷体裁を反映しない保存用データを保存する処理手段とを備えたことを特徴とする。  
本発明の情報処理方法は、入力されたデータを出力する際の体裁である印刷体裁と、入力されたデータを出力する際の処理方法とを示すジョブチケットを生成するジョブチケット生成ステップと、処理方法を解析し、処理方法が、印刷する処理か、保存する処理か、または印刷して保存する処理かを解析する解析ステップと、解析ステップによる解析の結果、処理方法が印刷する処理である場合、入力されたデータを用いてジョブチケットに指定された体裁を反映するデータである印刷用データを生成し、処理方法が保存する処理または印刷して保存する処理である場合、入力されたデータを用いてジョブチケットに指定された体裁を反映しないデータである保存用データを生成するデータ生成ステップと、ジョブチケット生成ステップにて生成したジョブチケットおよび印刷用データ、又はジョブチケット生成ステップに生成したジョブチケットおよび保存用データを含む情報を印刷用ジョブとして送信する印刷用ジョブ送信ステップとを備えたことを特徴とする。  
本発明の画像処理方法は、印刷用ジョブを受信する受信ステップと、印刷用ジョブに含まれるデータを出力する際の印刷体裁、及びデータを出力する際の処理方法を示すジョブチケットであって、受信した印刷用ジョブに含まれるジョブチケットを解析する判断ステップと、判断ステップが、処理方法が印刷して保存する処理であると解析した場合、受信ステップにて受信した印刷用ジョブに含まれ、印刷体裁を反映しない保存用データ及び前記ジョブチケットに基づいて、印刷体裁を反映する印刷用データを生成して印刷し、印刷体裁を反映しない保存用データを保存する処理ステップとを備えたことを特徴とする。